(57)【要約】本開示は、一体型火傷防止装置（３０）及び一体型混合バルブ（４２）を含む有利な給水栓組立体（１０）（たとえば、電気的に、または機械的に作動する給水栓組立体）を提供する。この一体型火傷防止装置（３０）は、混合された流出口（２６）の水温がユーザにより選択された設定点を超える場合、高温水の流入口（１８）を遮断することにより、火傷するほど熱くなるのを防止するように構成される。【選択図】図２
2019522759.tif 000002
【特許請求の範囲】
【請求項１】
流体供給組立体であって、
高温流体流入口、低温流体流入口、混合キャビティ、混合流体流出口、火傷防止キャビティ、及び作動部材を収容するアクチュエータキャビティを有するマニホールドハウジングと、
前記火傷防止キャビティ内に収容され、サーマルアクチュエータ及びプランジャ部材を含む火傷防止装置と、
を備え、
前記作動部材が作動するときに、高温流体が前記高温流体流入口から前記混合キャビティへ移動するように構成され、低温流体が前記低温流体流入口から前記混合キャビティへ移動して、前記高温流体と混合し、混合流体流を形成するように構成され、前記混合流体流が前記火傷防止キャビティの感知領域を通り、その後前記混合流体流出口を出て移動するように構成され、
前記混合流体流の温度が前記感知領域内で設定点温度に達するときに、前記サーマルアクチュエータは膨張し、前記プランジャ部材を動かし、前記高温流体流入口を閉じ、
前記高温流体流入口が前記プランジャ部材により閉じられた後に、低温流体は前記感知領域へ流れ続ける、
前記組立体。
【請求項２】
前記設定点温度は、ユーザにより調節可能である、請求項１に記載の組立体。
【請求項３】
前記混合キャビティ内に収容される混合バルブをさらに備え、前記混合バルブが高温流体カム部分及び低温流体カム部分を含み、前記高温流体カム部分が凹端部から上昇端部へ上昇し、前記低温流体カム部分が凹端部から上昇端部へ上昇する、請求項１に記載の組立体。
【請求項４】
そこで前記作動部材が作動するときに、高温流体は、前記高温流体流入口から前記高温流体カム部分へ、そして前記混合キャビティへ移動するように構成され、低温流体は、前記低温流体流入口から前記低温流体カム部分へ、そして前記混合キャビティへ移動し、前記混合流体流を形成するように構成される、請求項３に記載の組立体。
【請求項５】
前記プランジャ部材は、前記火傷防止キャビティのプランジャ領域から前記感知領域を流体的に分離する、請求項１に記載の組立体。
【請求項６】
前記高温流体は、前記高温流体流入口から、そして前記火傷防止キャビティの前記プランジャ領域へ、その後前記混合キャビティへ移動し、前記混合流体流を形成するように構成される、請求項５に記載の組立体。
【請求項７】
スパウト開口部を有し、前記マニホールドハウジングを収容するように構成されるスパウトハウジングをさらに備え、前記混合流体流は前記混合流体流出口から前記スパウト開口部へ移動するように構成される、請求項１に記載の組立体。
【請求項８】
前記作動部材は、電気的に作動するバルブ部材である、請求項１に記載の組立体。
【請求項９】
前記作動部材は、機械的に作動するバルブ部材である、請求項１に記載の組立体。
【請求項１０】
前記サーマルアクチュエータは、ワックス部材を含む、請求項１に記載の組立体。
【請求項１１】
前記混合バルブは、実質的に円筒形であり、前記高温流体カム部分と前記低温流体カム部分との間に配置される混合部分を含む、請求項３に記載の組立体。
【請求項１２】
前記混合バルブは、ハンドル部材へ取り付けるように構成されるシャフト部分を備える、請求項３に記載の組立体。
【請求項１３】
前記シャフト部分上に配置され、前記ハンドル部材内に収容される制限部材をさらに備え、前記制限部材は前記混合バルブの動きを高温流体位置へ制限するように構成され、それにより前記混合バルブが前記高温流体位置に配置されるときに、前記高温流体流入口からの前記高温流体流を減少させる、請求項１２に記載の組立体。
【請求項１４】
流体供給組立体であって、
高温流体流入口、低温流体流入口、混合キャビティ、混合流体流出口、及び作動部材を収容するアクチュエータキャビティを有するマニホールドハウジングと、
前記混合キャビティ内に収容され、高温流体カム部分及び低温流体カム部分を含む混合バルブであって、前記高温流体カム部分が凹端部から上昇端部へ上昇し、前記低温流体カム部分が凹端部から上昇端部へ上昇する、前記混合バルブと、
を備え、
前記作動部材が作動するときに、高温流体は前記高温流体流入口から前記高温流体カム部分へ、そして前記混合キャビティへ移動するように構成され、低温流体は前記低温流体流入口から前記低温流体カム部分へ、そして前記混合キャビティへ移動し、前記混合流体流を形成するように構成され、
前記高温流体カム部分及び前記低温流体カム部分は、前記混合キャビティへの、及びその後前記混合流体流出口への前記高温流体及び前記低温流体の両方の流量の同時調節のために、ユーザが前記混合バルブを複数の異なる位置へ動かすことを可能にするように構成される、
前記組立体。
【請求項１５】
前記混合バルブが全開高温位置へ動くときに、低温流体は、前記混合キャビティへ流れ続け、
高温流体が前記混合バルブを通り前記混合キャビティへ流れるときに、低温流体も、前記混合バルブを通り、そして前記混合キャビティへ流れる、
請求項１４に記載の組立体。
【請求項１６】
前記混合バルブがニュートラル位置へ動くときに、前記低温流体カム部分の前記上昇端部は、前記低温流体流入口の下端部へ近接して配置される、請求項１４に記載の組立体。
【請求項１７】
前記混合バルブが全開低温位置へ動くときに、前記低温流体カム部分の前記凹端部は、前記低温流体流入口の上端部に近接して配置され、前記低温流体カム部分の前記上昇端部は、前記低温流体流入口の下端部から離れた距離に配置される、請求項１４に記載の組立体。
【請求項１８】
前記混合バルブが全開低温位置へ動くときに、前記高温流体カム部分の前記上昇端部は、高温流体が前記混合キャビティに入ることを防止する、請求項１４に記載の組立体。
【請求項１９】
前記混合バルブが全開高温位置へ動くときに、（ｉ）前記低温流体カム部分の前記上昇端部は前記低温流体流入口の上端部に近接して配置され、それにより低温流体の低い流量が前記混合チャンバに入ることを可能にし、（ｉｉ）前記高温流体カム部分の前記凹端部は内部高温流体ラインの下端部より下に配置されることにより、高温流体の実質的に全流量が前記高温流体カム部分へ入り、前記混合チャンバへ移動することを可能にする、請求項１４に記載の組立体。
【請求項２０】
流体供給組立体であって、
高温流体流入口、低温流体流入口、混合キャビティ、混合流体流出口、火傷防止キャビティ、及び作動部材を収容するアクチュエータキャビティを有するマニホールドハウジングと、
前記火傷防止キャビティ内に収容され、サーマルアクチュエータ、プランジャ部材、付勢部材、及び調節可能なキャップ部材を含む火傷防止装置であって、前記キャップ部材は前記火傷防止キャビティの第１端部へ取り付けられ、前記付勢部材は前記火傷防止キャビティの第２端部に対して配置され、前記付勢部材は前記サーマルアクチュエータに対して、及び前記プランジャ部材に前記キャップ部材に対する付勢力を与える、前記火傷防止装置と、
前記火傷防止キャビティの前記第１端部へ取り付けられる止め部材であって、前記キャップ部材は前記止め部材から前記火傷防止キャビティの前記第２端部方向へ動くように調節可能である、止め部材と、
を備え、
前記作動部材が作動するときに、高温流体は前記高温流体流入口から前記混合キャビティへ移動するように構成され、低温流体は前記低温流体流入口から前記混合キャビティへ移動し、前記高温流体と混合して、混合流体流を形成するように構成され、前記混合流体流は前記火傷防止キャビティの感知領域を通り、その後前記混合流体流出口を出て移動するように構成され、
前記混合流体流の温度が前記感知領域内で設定点温度に達するときに、前記サーマルアクチュエータは膨張し、前記プランジャ部材を動かし、前記高温流体流入口を閉じ、
前記キャップ部材が前記火傷防止キャビティの前記第２端部方向へ動いた後に、前記感知領域の前記設定点温度は低下する、
前記組立体。
【発明の詳細な説明】
【技術分野】
【０００１】
関連出願の相互参照
本出願は、２０１６年５月１３日に出願された、米国非仮出願第１５／１５３，８１８号の利益を主張し、この内容は、本明細書によって、その全体を参照により援用される。
【０００２】
本開示は、一般的に流体供給組立体に関し、さらに特に、一体型火傷防止装置を含み、また一体型温度混合バルブを含む、給水栓組立体（たとえば、電気的に、または機械的に作動する給水栓組立体）に関する。
【背景技術】
【０００３】
一般に、流体システムにおける使用のための流体供給組立体は、知られている。いくつかの流体供給組立体は、さまざまな設置空間を利用する別々の構成要素を含み、非効率的で、コストのかかる機械器具を提供する可能性がある。したがって、いくつかの流体供給組立体は、高い材料及び設置コストを伴い、複雑な、及び／または非効率的な機械器具を提供することがあり得る。さらに、ある特定の流体供給組立体は、これらの組立体からの流出口流体流量を調節するために流量制御バルブを非効率的に利用することある。
【０００４】
改良された流体供給組立体、及び関連した使用方法に対する関心が存在する。これらの、また他の非効率性、及び改良のための機会は、本開示の組立体、システム及び方法により対処される、及び／または克服される。
【発明の概要】
【０００５】
本開示は、改良された流体供給組立体、ならびに関連した特長、システム及び使用方法を提供する。より具体的には、本開示は、一体型火傷防止装置を有する、及び／または一体型温度混合バルブを有する、有利な給水栓組立体を提供する。
【０００６】
例示的な実施形態において、本開示は、一体型温度混合バルブを有する、及び／または一体型火傷防止装置を有する、給水栓組立体（たとえば、電気的に、または機械的に作動した給水栓組立体）を提供し、この一体型火傷防止装置は、混合された流出口水温が、ユーザが調節可能な設定点（たとえば、約１１０°Ｆから約１２０°Ｆ）に到達する、またはこれを超える場合、高温水の流入口流量を減少させる、または止めるように構成される。実施されるときに、例示的な給水栓組立体は、Ａｍｅｒｉｃａｎ  Ｓｏｃｉｅｔｙ  ｏｆ  Ｓａｎｉｔａｒｙ  Ｅｎｇｉｎｅｅｒｉｎｇ（「ＡＳＳＥ」）１０７０により規定されるような火傷を防止することができる。
【０００７】
ある特定の実施形態において、本開示の一体型給水栓組立体は、別個の火傷防止装置の必要性を排除することができる。加えて、例示的な一体型給水栓組立体は、（ｉ）必要とされる構成要素数、（ｉｉ）必要とされる設置空間、及び／または（ｉｉｉ）給水栓に別個の火傷防止装置を追加する追加の関連した設置コストを有利に減少させることができる。
【０００８】
例示的な一体型混合バルブの構成及び設計は、低温水流路を開かずに、高温水流路を開くことができないという条件を設けることができ、それにより混合された流出口の水の流れの最高温度を制限することができる。また低温水流路は、流出口水温が設定点を超える場合、高温水の流れを止めるために使用される、一体型火傷防止装置のリセットとして機能することができる。
【０００９】
本開示の（たとえば、給水栓組立体内に配置される一体型混合バルブ及び一体型火傷防止装置を含む）給水栓組立体は、さまざまな用途（たとえば、トイレ給水栓組立体、キッチン給水栓組立体、シンク給水栓組立体など）のために利用することができる。たとえば、例示的な給水栓組立体は、（たとえば、トイレ、キッチンまたはシンク給水栓組立体などとしての使用のための）ハンズフリー電子センサ作動型給水栓組立体の形態を取ることができる。
【００１０】
本開示は、高温流体流入口、低温流体流入口、混合キャビティ、混合流体流出口、火傷防止キャビティ、及び作動部材を収容するアクチュエータキャビティを有するマニホールドハウジングと、火傷防止キャビティ内に収容され、サーマルアクチュエータ及びプランジャ部材を含む火傷防止装置とを備える流体供給組立体を提供し、そこで作動部材が作動するときに、高温流体は高温流体流入口から混合キャビティへ移動するように構成され、低温流体は低温流体流入口から混合キャビティへ移動し、高温流体と混合し、混合流体流を形成するように構成され、混合流体流が火傷防止キャビティの感知領域を通り、その後混合流体流出口を出て移動するように構成され、そこで混合流体流の温度が感知領域内で設定点温度に到達するときに、サーマルアクチュエータは膨張し、プランジャ部材を動かし、高温流体流入口を閉じ、そこで高温流体流入口がプランジャ部材により閉じられた後に、低温流体は感知領域へ流れ続ける。
【００１１】
また本開示は、設定点温度がたとえば、約１１０°Ｆから約１２０°Ｆのおおよその範囲内にある値などへユーザが調節可能である、流体供給組立体を提供する。また本開示は、混合キャビティ内に収容される混合バルブをさらに備える流体供給組立体を提供し、この混合バルブは、高温流体カム部分及び低温流体カム部分を含み、高温流体カム部分は、凹端部から上昇端部へ上昇し、低温流体カム部分は、凹端部から上昇端部へ上昇する。また本開示は、作動部材が作動するときに、高温流体が高温流体流入口から高温流体カム部分へ、そして混合キャビティへ移動するように構成され、低温流体が低温流体流入口から低温流体カム部分へ、そして混合キャビティへ移動し、混合流体流を形成するように構成される、流体供給組立体を提供する。
【００１２】
また本開示は、プランジャ部材が火傷防止キャビティのプランジャ領域から感知領域を流体的に分離する、流体供給組立体を提供する。また本開示は、高温流体が高温流体流入口から、そして火傷防止キャビティのプランジャ領域へ、その後混合キャビティへ移動し、混合流体流を形成するように構成される、流体供給組立体を提供する。
【００１３】
また本開示は、スパウト開口部を有するスパウトハウジングをさらに備える流体供給組立体を提供し、このスパウトハウジングは、マニホールドハウジングを収容するように構成され、混合流体流は、混合流体流出口からスパウト開口部へ移動するように構成される。また本開示は、作動部材が電気的に作動するバルブ部材である、流体供給組立体を提供する。また本開示は、作動部材が機械的に作動するバルブ部材である、流体供給組立体を提供する。
【００１４】
また本開示は、サーマルアクチュエータがワックス部材を含む、流体供給組立体を提供する。また本開示は、混合バルブが実質的に円筒形であり、高温流体カム部分と低温流体カム部分との間に配置される混合部分を含む、流体供給組立体を提供する。
【００１５】
また本開示は、混合バルブがハンドル部材へ取り付けられるように構成されるシャフト部分を備える、流体供給組立体を提供する。また本開示は、シャフト部分上に配置され、ハンドル部材内に収容される制限部材をさらに備える流体供給組立体を提供し、この制限部材は、高温流体位置への混合バルブの動きを制限し、それにより混合バルブが高温流体位置に配置されるときに、高温流体流入口から高温流体流を減少させるように構成される。
【００１６】
また本開示は、高温流体流入口、低温流体流入口、混合キャビティ、混合流体流出口、及び作動部材を収容するアクチュエータキャビティを有するマニホールドハウジングと、混合キャビティ内に収容され、高温流体カム部分及び低温流体カム部分を含む混合バルブとを備える流体供給組立体を提供し、この高温流体カム部分が凹端部から上昇端部へ上昇し、この低温流体カム部分が凹端部から上昇端部へ上昇し、そこで作動部材が作動するときに、高温流体は、高温流体流入口から高温流体カム部分へ、そして混合キャビティへ移動するように構成され、低温流体は、低温流体流入口から低温流体カム部分へ、そして混合キャビティへ移動し、混合流体流を形成するように構成され、そこで高温流体カム部分及び低温流体カム部分は、混合キャビティへ、その後混合流体流出口への高温流体及び低温流体の両方の流れの同時調節のために複数の異なる位置へユーザが混合バルブを動かすことを可能にするように構成される。
【００１７】
また本開示は、混合バルブが全開高温位置へ動くときに、低温流体が混合キャビティへ流れ続け、高温流体が混合バルブを通り混合キャビティへ流れるときに、低温流体も混合バルブを通り混合キャビティへ流れる、流体供給組立体を提供する。
【００１８】
また本開示は、混合バルブがニュートラル位置へ動くときに、低温流体カム部分の上昇端部が低温流体流入口の下端部へ近接して配置される、流体供給組立体を提供する。また本開示は、混合バルブが全開低温位置へ動くときに、低温流体カム部分の凹端部が低温流体流入口の上端部に近接して配置され、低温流体カム部分の上昇端部が低温流体流入口の下端部から離れた距離に配置される、流体供給組立体を提供する。また本開示は、混合バルブが全開低温位置へ動くときに、高温流体が混合キャビティに入ることを高温流体カム部分の上昇端部が防止する、流体供給組立体を提供する。
【００１９】
また本開示は、混合バルブが全開高温位置へ動くときに、（ｉ）低温流体カム部分の上昇端部は低温流体流入口の上端部に近接して配置され、それにより低温流体の低い流量が混合チャンバに入ることを可能にし、（ｉｉ）高温流体カム部分の凹端部は内部高温流体ラインの下端部より下に配置され、それにより高温流体の実質的に全流量が高温流体カム部分へ入り、混合チャンバへ移動することを可能にする、流体供給組立体を提供する。
【００２０】
また本開示は、高温流体流入口、低温流体流入口、混合キャビティ、混合流体流出口、火傷防止キャビティ、及び作動部材を収容するアクチュエータキャビティを有するマニホールドハウジングと、火傷防止キャビティ内に収容され、サーマルアクチュエータ、プランジャ部材、付勢部材、及び調節可能なキャップ部材を含む火傷防止装置であって、キャップ部材は火傷防止キャビティの第１端部に調節可能に係合され、付勢部材は火傷防止キャビティの第２端部に対して配置されて、付勢部材はサーマルアクチュエータに対して、及びプランジャ部材にキャップ部材に対する付勢力を与える、火傷防止装置と、火傷防止キャビティの第１端部へ取り付けられる止め部材であって、キャップ部材は、止め部材から火傷防止キャビティの第２端部方向へ動くようにユーザにより調節可能である、止め部材とを備える流体供給組立体を提供し、そこで作動部材が作動するときに、高温流体は、高温流体流入口から混合キャビティへ移動するように構成され、低温流体は、低温流体流入口から混合キャビティへ移動し、高温流体と混合し、混合流体流を形成するように構成され、混合流体流は、火傷防止キャビティの感知領域を通り、その後混合流体流出口を出て移動するように構成され、そこで混合流体流の温度が感知領域内で設定点温度に到達するときに、サーマルアクチュエータは、膨張し、プランジャ部材を動かし、高温流体流入口を閉じ、そこでキャップ部材が火傷防止キャビティの第２端部方向へ動いた後に、感知領域の設定点温度は、低下する。
【００２１】
本開示の開示された組立体、システム及び方法のさらなる有利な特長、機能及び用途は、特に添付の図面と併せて読むときに、後に続く説明から明らかになるであろう。本開示に列挙される参考文献は、本明細書によって、それらの全体を参照により援用される。
【００２２】
実施形態の特徴及び態様は、要素が必ずしも縮尺通りに描かれていない、添付の図面を参照して以下に説明される。
【００２３】
本開示の例示的な実施形態は、添付の図面を参照してさらに説明される。以下に説明され、図面に示される、さまざまな特長、ステップ、及び特長／ステップの組み合わせが異なるように配置され、編成されるが、依然として本開示の範囲内にある実施形態をもたらすことができることに留意するべきである。開示された組立体、システム及び方法を作成し、使用する際に当業者を支援するために、参照を添付の図面に行う。
【図面の簡単な説明】
【００２４】
【図１】本開示による例示的な流体供給組立体の側面斜視図である。
【図２】組み立て前で、マニホールドハウジングの内部特長を示す、図１の流体供給組立体の分解部分側面斜視図である。
【図３】組み立て後の、図２の組立体の側面斜視図である。
【図４】図２の組立体のマニホールドハウジングの側面斜視図であり、マニホールドハウジングの外部特長を示す。
【図５】図２のマニホールドハウジングの側面斜視図である。
【図６】図２のマニホールドハウジングの側面斜視図である。
【図７】図２の混合バルブの側面斜視図である。
【図８】図３の組立体の側面斜視図である。
【図９】図３の組立体の側面斜視図である。
【図１０】図３の組立体の側断面図である。
【図１１】図３の組立体の側断面図である。
【図１２】図３の組立体の側断面図である。
【図１３】図３の組立体の側断面図である。
【図１４】図３の組立体の側断面図である。
【図１５】図３の組立体の側断面図である。
【図１６】図３の組立体の側断面図である。
【図１７Ａ】図３の組立体の部分側断面図である。
【図１７Ｂ】図１７Ａの組立体の部分上面図である。
【図１８】図３の組立体の側断面図である。
【発明を実施するための形態】
【００２５】
本明細書に開示される例示的な実施形態は、有利な流体供給組立体（たとえば、給水栓組立体）、及び本開示のシステム、及びその方法／技術の例示である。しかしながら、開示される実施形態は本開示の例示に過ぎず、本開示は、さまざまな形態に具現化されることができることを理解するであろう。したがって、例示的な流体供給組立体／製造方法、ならびに組立体及び使用の関連したプロセス／技術を参照して、本明細書に開示される詳細は、制限として解釈されるべきではないが、本開示の有利な流体供給組立体／システムを作製し、使用する方法を当業者に教示する単なる基礎として解釈されるべきである。
【００２６】
本開示は、流体システムのための改良された流体供給組立体を提供する。より具体的には、本開示は、一体型火傷防止装置を有し、また一体型温度混合バルブを有する、有利な給水栓組立体（たとえば、電気的に、または機械的に作動した給水栓組立体）を提供する。
【００２７】
一般に、本開示は、一体型温度混合バルブを有し、一体型火傷防止装置を有する、給水栓組立体を提供し、この一体型火傷防止装置は、混合された流出口水温がユーザにより選択された設定点に到達する、またはこれを超える場合、高温水の流入口流を減少させる、または止めるように構成される。本開示の例示的な給水栓組立体は、ＡＳＳＥ１０７０により規定されるような火傷を防止することができる。
【００２８】
本開示の給水栓組立体は、別個の火傷防止装置の必要性を排除し、それにより必要とされる構成要素数を有利に減少させる、及び／または必要とされる設置コスト／空間を減少させることができる。
【００２９】
例示的な混合バルブは、低温水流路を開かずに、高温水流路を開くことができないようにでき、それにより混合された流出口の水の流れの最高温度を制限することができる。さらに以下に考察されるように、低温水流路は、一体型火傷防止装置のリセットとして機能することもできる。
【００３０】
例示的な給水栓組立体であって、一体型混合バルブを有し、また一体型火傷防止装置を有して、それらが給水栓組立体内に配置される（たとえば、混合バルブ及び火傷防止装置が給水栓組立体のマニホールドハウジングまたは本体内に配置される）給水栓組立体は、さまざまな用途（たとえば、トイレ給水栓組立体、キッチン給水栓組立体、シンク給水栓組立体など）に利用することができる。
【００３１】
給水栓組立体内に（たとえば、マニホールドハウジング内に）配置される機械的な一体型混合バルブ、及び一体型火傷防止装置の組み込みは、給水栓本体へ連結する別個の混合バルブを有するいくつかの従来の組立体と比較して、材料コスト、設置の複雑さ、関連した設置コスト、及び／または空間要件を有利に減少させることができる。
【００３２】
加えて、そのような本開示の一体型構成／設計では、最高水温の混合を制限するために比例流入口を必要としない。混合された水温が所定の最高温度を超える場合に、（たとえば、ＡＳＳＥ１０７０に従い）高温水流を、迅速に、かつ完全に止める（実質的に減少するだけではなく）ことができるが、低温水が利用可能である場合に依然として流れることを可能にする。また、この低温水流は、火傷防止装置（たとえば、熱応答性バルブ）へ冷却を提供することもでき、高温水が迅速に再度流れ、低温水流と混合し始めることを可能にする「リセット」機能として働くことができる。
【００３３】
例示的な混合バルブ（たとえば、結合されたデュアルカム混合バルブ制御シャフトの形態において）は、高温水及び低温水の両方を、所望の流出口温度へ混合するために、常に同時調節することを可能にできる。この組立体を使用して、混合された水の流量は、さらに一定に保つことができる（たとえば、低温流量が増加すると高温流量が減少し、また高温流量が増加すると低温流量が減少する）。これは、単純に低温水流量を調節して流出口温度を制御する従来のシステム／方法と比較して改善である。これは、また、２つの個々の流量制御バルブ（たとえば、個々の高温バルブ及び個々の低温バルブ）を使用して調節しなければならないことと比較して改善である。なぜなら、本開示の例示的な組立体は１つの混合バルブを有利に使用して、高温水流量及び低温水流量の両方の流れを制御し得るからである。
【００３４】
加えて、機械的な制限装置を、混合バルブ（たとえば、混合バルブ制御シャフト）の動きを制限するように組み込むことができ、それにより高温水流路、及び関連した高温水流量を減少させることができる。これは、流出口の最高水温を低下させることができる。
【００３５】
さらに以下に考察されるように、他の実施形態は、高温及び低温水供給ラインのそれぞれに圧力補償流量調節器を含むことができる。これらの調節器／装置は、関連した水圧に基づき流路のオリフィスサイズを調節することにより、各流入口流体の一定の流量を維持することができる（たとえば、圧力が増加する場合に、オリフィス開口部は縮小し、さらに一定の流量を維持する）。これは、流出口の混合された水温の変化を最小にすることができる。
【００３６】
ここで図面を参照するが、同様の部品は、それぞれ、本明細書及び図面全体を通して同一の参照番号によって示される。図面の図は、必ずしも縮尺通りではなく、ある特定の図においては、部品は、明瞭さのために誇張されている場合がある。
【００３７】
ここで図１から３を参照すると、そこでは本開示の例示的な実施形態に従う、流体供給組立体１０（たとえば、給水栓組立体１０）が例示説明される。
【００３８】
図１から３に示されるように、例示的な給水栓組立体１０は、スパウトハウジング１２、スパウト開口部１１、ハンドル部材１３、及びスパウトハウジング１２へ、及び／またはこれの内に取り付けられるベースアダプタ１４を含む。また給水栓組立体１０は、高温流体（たとえば、水）供給ライン／ホース１５、及び低温流体（たとえば、水）供給ライン／ホース１７を含む。
【００３９】
図２から３に示されるように、マニホールドハウジング１６は、ベースアダプタ１４に取り付けられるように構成され、スパウトハウジング１２内に取り付けられる、及び／または配置されるように構成される。マニホールドハウジング１６は、高温流体供給ライン１５と流体連通する高温流体（たとえば、水）流入口１８を含み、低温流体供給ライン１７と流体連通する低温流体（たとえば、水）流入口２０を含む。
【００４０】
例示的な実施形態において、高温水は、火傷防止キャビティ２３のプランジャ領域２９を通して、供給ライン１５から高温水流入口１８へ移動し、その後内部ライン２７を介してマニホールドハウジング１６の混合キャビティ２２へ移動する。
【００４１】
低温水は、供給ライン１７から低温水流入口２０へ移動し、その後混合キャビティ２２へ移動し、そこで高温及び低温水は、合わせて混合し、混合された水流を形成する。さらに以下に考察されるように、また給水栓組立体１０の動作中に、作動部材１９の作動（たとえば、電気的に、または機械的にオン／オフ作動するバルブ部材１９）を介して、混合された水は、混合流体／水ライン２１を介して、混合キャビティ２２から火傷防止キャビティ２３の感知領域２４へ、その後マニホールドハウジング１６の混合流体／水流出口２６を介して（たとえば、作動したバルブ部材１９を介して）マニホールドハウジング１６から出て移動するように構成される。ある特定の実施形態において、作動部材１９は、アクチュエータキャビティ２８を介して（たとえば、部材１９及びキャビティ２８のねじを介して）マニホールドハウジングに取り付けられる。
【００４２】
ある特定の実施形態において、アダプタ部材２５が、混合された水流出口２６に取り付けられ、アダプタ部材２５は、混合された水を（たとえば、流出口ライン／ホースを介して）スパウト開口部１１へ、そしてユーザへ連通する（図１及び３）。
【００４３】
ある特定の実施形態において、図２、１０及び１１に示されるように、給水栓組立体１０は、チェックバルブ８０、圧力補償流量調節器８２、及び圧力補償流量調節器８２のためのハウジング８４を含むことができる。たとえば、また図２、１０及び１１に描写されるように、流入口１８、２０は、そこに取り付けられるチェックバルブ８０を含み、逆流を防止することができる。
【００４４】
いくつかの実施形態において、ハウジング８４内の圧力補償流量調節器８２は、高温及び低温水供給ライン１５、１７のそれぞれに提供される。
【００４５】
たとえば、図２、１０及び１１に示されるように、ハウジング８４は、ライン１５、１７に取り付けられることができ、圧力補償流量調節器８２は、各ハウジング８４内に取り付ける／配置することができる。例示的な圧力補償流量調節器８２は、関連した流体／水の圧力に基づき流路のオリフィスサイズを調節することにより、供給ライン１５、１７から各流入口１８、２０の流体の一定の流量を維持するように構成される（たとえば、圧力が増加するとオリフィス開口部は縮小し、さらに一定の流量を維持する）。
【００４６】
また例示的なマニホールドハウジング１６は、火傷防止キャビティ２３を含む。図２、１１及び１８に示されるように、火傷防止キャビティ２３は、火傷防止装置／組立体３０によって取り付ける、及び／またはこれを収容するように構成され、これらをするような寸法にされる。図２、１１及び１８に描写されるように、火傷防止装置／組立体３０は、調節可能なキャップ部材３１、サーマルアクチュエータ３３（たとえば、ワックス要素３３）、プランジャ部材３４、及び付勢ばね３６を含む。
【００４７】
図１１及び１８に示されるように、キャビティ２３内に組み立てられ、取り付けられた火傷防止装置３０は、キャビティ２３を感知領域２４及び可動プランジャ領域２９に分離する。たとえば、プランジャ部材３４の近位端部は、感知領域２４を可動プランジャ領域２９から流体的に分離するガスケット材料（たとえば、１つ以上のＯリング）を含むことができる。図１１及び１８に描写されるように、可動プランジャ領域２９は、高温水流入口１８と流体連通することができ、内部ライン２７と流体連通することができる。
【００４８】
さらに図１１及び１８を参照すると、付勢ばね３６が、プランジャ領域２９の当接面３２に対して配置され、サーマルアクチュエータ３３及びプランジャ部材３４に対し、また止め部材４４に対して矢印Ｕの方向に付勢力を与える。
【００４９】
前述のように、また給水栓組立体１０の動作中に、混合された水は、混合流体／水ライン２１を介して、混合キャビティ２２から火傷防止キャビティ２３の感知領域２４へ移動するように構成される。サーマルアクチュエータ３３（たとえば、ワックス要素３３）の遠位端部３８は、感知領域２４内の混合された水の温度が上昇すると、その長手方向中心軸沿いに膨張するように構成される。
【００５０】
感知領域２４内の混合された水のユーザにより選択された温度設定点（たとえば、約１１０°Ｆから約１２０°Ｆ）において、サーマルアクチュエータ３３の膨張は、ばね３６の付勢力に打ち勝ち、アクチュエータ３３の遠位端部３８の膨張は、プランジャ部材３４の遠位端部３７がプランジャ領域２９の円筒形着座面４０に接触するまで、矢印Ｄの方向にプランジャ部材３４を推進させ、それにより高温水が高温水流入口１８からプランジャ領域２９内に動くことを防止し、したがって、それにより、高温水が流入口１８から、混合キャビティ２２に供給する内部ライン２７へ動くことを防止する。ユーザにより選択された温度設定点は、機械的手段を介して調節され、所望の設定点（たとえば、１１０°Ｆ、１１１．７°Ｆ、１１２．３°Ｆ、１１５°Ｆ、１１６°Ｆ、１１８．４°Ｆ、１１８．９°Ｆ、または１２０°Ｆ）に到達させることができる。
【００５１】
したがって、マニホールドハウジング１６内の一体型火傷防止装置／組立体３０は、混合された流出口水温がユーザにより選択された設定点に達する、またはそれを超える場合、高温水の流入口１８の流量を減少させる、または止めるように構成される。実施されるときに、給水栓組立体１０の例示的な火傷防止装置／組立体３０は、ＡＳＳＥ１０７０により規定されるような火傷を防止することができる。
【００５２】
実施例として、またサーマルアクチュエータ３３に接触する混合された水のユーザにより選択された設定点が約１１７°Ｆから約１２０°Ｆへ設定されるときに、混合された水が感知領域２４において約１１２°Ｆに達するときに、サーマルアクチュエータ３３の遠位端部３８は、矢印Ｄの方向に約２．２５ｍｍ延び、領域２９を通る高温水流路を遮断し始める。混合された水温が感知領域２４において上昇すると、サーマルアクチュエータ３３の遠位端部３８は、この温度が約１１７°Ｆに達するまで、矢印Ｄの方向にさらに延びる。この温度において、サーマルアクチュエータ３３の遠位端部３８は、矢印Ｄの方向に実質的に完全に延び（約５ｍｍ）、それにより、上で考察されるように、混合キャビティ２２への高温水流を止める。
【００５３】
さらに、また有利な混合バルブ４２の動作と関連してさらに以下に考察されるように、混合バルブ４２が全開高温水位置に配置されるときに、サーマルアクチュエータ３３に開かれる（たとえば、混合キャビティ２２から、そして流入口２０からライン２１を介する）低温水流路もある。したがって、高温限界に達し、上で考察されるように火傷防止装置／組立体３０が高温水を止める場合、低温水は、サーマルアクチュエータ３３へ流れ続け、サーマルアクチュエータ３３を冷却して、収縮させ、それがリセットすることを可能にする（たとえば、プランジャを図１１及び１８に示される開口位置へ動かす）。サーマルアクチュエータ３３へのそのような低温水流なしでは、サーマルアクチュエータ３３は、サーマルアクチュエータ３３が再度動作し始めることが可能になる前に、より緩慢な様式で、その周囲の伝導冷却（たとえば、それを囲む金属及び水の冷却）に依存することとなるであろう。そして、そのときでさえ、アクチュエータ３３へそのような低温水流なしでは、そのようなより緩慢な伝導冷却リセット後のサーマルアクチュエータ３３へ直ちに利用可能となる高温水は、より迅速な様式で、サーマルアクチュエータ３３に高温水流を再度止めさせ得る。
【００５４】
例示的な実施形態において、図２、３及び１８を（及び図１７Ａ及び１７Ｂをも）再度参照すると、火傷防止装置／組立体３０はまた、マニホールドハウジング１６へ取り付けるように構成される、止め部材４４をも含む。ユーザにより調節可能であるキャップ部材３１の位置は、サーマルアクチュエータ３３の位置をもたらし、例示的な止め部材４４は、調節可能なキャップ部材３１の上方向（方向Ｕ）の動きを止めるためのショルダボルトの形態を取る。
【００５５】
たとえば、ユーザは、矢印Ｄ（図１８）の方向にキャップ部材３１を（たとえば、キャップ部材３１の３６０°範囲内で）回転させる／ねじ込むことにより、キャップ部材３１、サーマルアクチュエータ３３及びプランジャ部材３４を矢印Ｄの方向に動かし、それにより、サーマルアクチュエータ３３のユーザにより選択された最高のフェイルセーフ設定点温度（たとえば、図１８に示されるように１２０°Ｆから、キャップ部材３１が矢印Ｄの方向に動いた後に１１０°Ｆへ）を低下させることにより、サーマルアクチュエータ３３に接触する混合された水の最高フェイルセーフ設定点温度（たとえば、１２０°Ｆから１０５°Ｆ）を選択する、また再度選択することができる。キャップ部材３１が矢印Ｄの方向に動いた後に、つぎにユーザは、矢印Ｕの方向にキャップ部材３１を調節し、図１８に描写されるように組立体３０をユーザにより選択された１２０°Ｆの設定点温度へ、及び／または止め部材４４の範囲内の別の所望の温度へ戻すことができる。この点について、キャップ部材３１は、感知領域２４内のサーマルアクチュエータ３３に接触する混合された水の設定点温度のユーザ調節のための温度調節ねじを有利に提供する。
【００５６】
前述のように、また図２から７を参照すると、例示的なマニホールドハウジング１６は、混合キャビティ２２をも含む。例示的な混合キャビティ２２は、混合バルブ４２によって取り付ける、及び／または混合バルブ４２を収容するように構成され、これらをするような寸法にされる。
【００５７】
例示的な実施形態において、また図７に示されるように、混合バルブ４２は、結合されたデュアルカム混合バルブ制御シャフト４２の形態を取る。例示的な混合バルブ４２は、実質的に円筒形であり、シャフト部分４６、低温水部分４８、高温水部分５０、及び低温／高温部分４８、５０間に配置される混合部分５２を含む。また混合バルブ４２は、組み立て後に混合キャビティ２２内で延伸する延伸部分５４を含む。
【００５８】
シャフト部分４６は、ハンドル部材１３へ取り付けるように構成される。たとえば、図２に示されるように、ファスナ部材５３が、ハンドル部材１３へ、そしてシャフト部分４６へ取り付けられ、シャフト部分４６をハンドル部材１３へ取り外し可能に取り付けることができる。
【００５９】
機械的な制限部材５５は、シャフト部分４６上に配置され／取り付けられ、ハンドル部材１８（図２及び３）内に収容することができる。例示的な機械的制限部材５５は、高温水部分への混合バルブ４２の回転／動きを制限するように構成され、それにより高温水流入口１８を通る流量を減少させ、マニホールドハウジング１６内の関連した高温水流量を減少させる。これは、流出口２６を通る最高流出口水温を低下させることができる。また例示的なハンドル部材１３は、低温水位置インジケータ５６及び高温水位置インジケータ５８を含む。
【００６０】
さらに以下に考察されるように、例示的な混合バルブ４２は、高温水及び低温水の流入口１８、２０の両方の流れを、流出口２６を通る所望の流出口温度へ混合するために、常に同時調節することを可能にするように構成される。したがって、また組立体１０の混合バルブ４２を使用して、流出口２６を通る混合された水の流量は、さらに一定に保つことができる（たとえば、低温流量が流入口２０を通り増加すると高温流量は流入口１８を通り減少し、また高温流量が流入口１８を通り増加すると低温流量は流入口２０を通り減少する）。これは、単純に低温水流量を調節して流出口温度を制御する従来のシステム／方法と比較して改善である。これは、また、２つの個々の従来の流量制御バルブ（たとえば、個々の高温バルブ、及び個々の低温バルブ）を使用して調節しなければならないことと比較して改善である。なぜなら、本開示の例示的な組立体１０が１つの混合バルブ４２を有利に使用して、流入口１８、２０を通る高温水流量及び低温水流量の両方の流れを制御し得るからである。
【００６１】
図７に示されるように、低温水部分４８は、実質的に円筒形であり、上面４９を含む。上面４９内の凹部は、凹端部６２から上昇端部６４へ延伸し、傾斜する／上昇する、下面６５を含むカム部分６０である。したがって、凹端部６２における下面６５は、上昇端部６４における下面６５より上面４９からより遠方向へ配置される。例示的な実施形態において、上昇端部６４の下面６５は、上面４９に近接して配置される。さらに、またさらに以下に考察されるように、凹端部６２の例示的な下面６５は、混合部分５２の下面５７に近接して配置される。また低温水部分４８は、下面６５から上面４９へ延在し（たとえば、横断して）、カム部分６０を画定する側壁部６７をも含む。
【００６２】
同様に、例示的な高温水部分５０は、実質的に円筒形であり、上面５１を含む。上面５１内の凹部は、凹端部７２から上昇端部７４へ延在し、傾斜する／上昇する、下面７５を含むカム部分７０である。したがって、凹端部７２における下面７５は、上昇端部７４における下面７５より上面４９からより遠方向へ配置される。例示的な実施形態において、上昇端部７４の下面７５は、上面４９に近接して配置される。さらに、凹端部７２の例示的な下面７５は、混合部分５２の下面５７に近接して配置される。
【００６３】
例示的な実施形態において、図３及び１０から１１は、ハンドル部材１３及び混合バルブ４２がニュートラル位置に配置される、動く、または回転するときの、ハンドル部材１３及び混合バルブ４２の位置を描写する。
【００６４】
そのような位置において、また作動部材１９が作動したときに、供給ライン１７からの低温水は、低温水流入口２０に入る。低温水流入口２０から、また図１０に示されるように、低温水は、混合バルブ４２の低温水部分４８のカム部分６０に入り、その後混合バルブ４２の混合部分５２へ移動する。つぎに低温水は、混合バルブ４２の混合部分５２から混合された水ライン２１（図８）へ、その後感知領域２４上へ、その後流出口２６へ移動することができる。
【００６５】
図１０に示されるように、ハンドル部材１３及び混合バルブ４２がニュートラル位置に配置されるときに、混合バルブ４２の低温水部分４８の上昇端部６４は、低温水流入口２０の下端部６８に近接して配置され、それにより低温水の中間流が流入口２０から混合バルブ４２の低温水部分４８のカム部分６０へ入ることを可能にする。
【００６６】
図１１に示されるように、ハンドル部材１３及び混合バルブ４２がニュートラル位置に配置されるときに、また作動部材１９が作動したときに、供給ライン１５からの高温水は、高温水流入口１８に入り、プランジャ領域２９を通り移動し、その後内部ライン２７へ移動する。内部ライン２７から、また図１１に示されるように、高温水は、混合バルブ４２の高温水部分５０のカム部分７０に入り、その後混合バルブ４２の混合部分５２へ移動する。つぎに高温水は、混合バルブ４２の混合部分５２から混合された水ライン２１（図８）へ、その後感知領域２４上へ、その後流出口２６へ移動することができる。
【００６７】
図１１に示されるように、ハンドル部材１３及び混合バルブ４２がニュートラル位置に配置されるときに、混合バルブ４２の高温水部分５０の上昇端部７４は、内部ライン２７の流入口の実質的に中間に配置され、それによって高温水の中間流が内部ライン２７から混合バルブ４２の高温水部分５０のカム部分７０に入ることを可能にする。
【００６８】
例示的な実施形態において、図９及び１５から１６は、ハンドル部材１３及び混合バルブ４２が全開低温位置に配置される、動く、または回転するときの、ハンドル部材１３及び混合バルブ４２の位置を描写する。
【００６９】
そのような位置において、また作動部材１９が作動したときに、供給ライン１７からの低温水は、低温水流入口２０に入る。低温水流入口２０から、また図１５に示されるように、低温水は、混合バルブ４２の低温水部分４８のカム部分６０に入り、その後混合バルブ４２の混合部分５２へ移動する。つぎに低温水は、混合バルブ４２の混合部分５２から混合された水ライン２１（図８）へ、その後感知領域２４上へ、その後流出口２６へ移動することができる。
【００７０】
図１５に示されるように、ハンドル部材１３及び混合バルブ４２が全開低温位置に配置されるときに、混合バルブ４２の低温水部分の凹端部６２は、低温水流入口２０の上端部６９に近接して配置され、混合バルブ４２の低温水部分４８の上昇端部６４は、低温水流入口２０の下端部６８から離れた距離に配置され、それにより低温水の実質的に全流量が流入口２０から混合バルブ４２の低温水部分４８のカム部分６０に入ることを可能にする。
【００７１】
図１６を参照して、ハンドル部材１３及び混合バルブ４２が全開低温位置に配置されるときに、また作動部材１９が作動したときに、供給ライン１５からの高温水は、高温水流入口１８に入り、プランジャ領域２９を通り移動し、その後内部ライン２７へ移動する。内部ライン２７からは、上面５１が、高温水が混合バルブ４２の高温水部分５０のカム部分７０に入ることを防止する。したがって、全開低温位置において、高温水が混合バルブ４２の混合部分５２へ、そして混合された水ライン２１へ動くことを防止する（したがって、流出口２６を出ることを防止する）。
【００７２】
図１６を参照すると、ハンドル部材１３及び混合バルブ４２が全開低温位置に配置されるときに、混合バルブ４２の高温水部分５０の上昇端部７４は、内部ライン２７の下端部７１より下に、またはこれの直下に配置され、それにより、上面５１が、ライン２７からの高温水が混合バルブ４２の高温水部分５０のカム部分７０に入ることを防止する。
【００７３】
例示的な実施形態において、図８及び１３から１４は、混合水内に低温水のある程度のブリード流を含む、全開高温位置にハンドル部材１３及び混合バルブ４２が配置される、動く、または回転するときの、ハンドル部材１３及び混合バルブ４２の位置を描写する。
【００７４】
そのような位置において、また作動部材１９が作動したときに、供給ライン１７からの低温水は、低温水流入口２０に入る。低温水流入口２０から、また図１４に示されるように、ある程度の低温水は、混合バルブ４２の低温水部分４８のカム部分６０にブリードし、その後混合バルブ４２の混合部分５２へ移動する。つぎに低温水は、混合バルブ４２の混合部分５２から混合された水ライン２１へ、その後感知領域２４上へ、その後流出口２６へ移動することができる。
【００７５】
図１４に示されるように、ハンドル部材１３及び混合バルブ４２が全開高温位置に配置されるときに、混合バルブ４２の低温水部分４８の上昇端部６４は、低温水流入口２０の上端部６９に近接して配置され、それにより低温水の低流量が流入口２０から混合バルブ４２の低温水部分４８のカム部分６０に入ることを可能にする。
【００７６】
このようにして、また上で考察されたように、混合バルブ４２が全開高温水位置に配置されるときに、サーマルアクチュエータ３３へ開かれる（たとえば、混合キャビティ２２から、また流入口２０からライン２１を介して）低温水流路もある。したがって、上で考察されたように、高温限界に達し、火傷防止装置／組立体３０が高温水を止める場合、低温水は、サーマルアクチュエータ３３へ流れ続け、サーマルアクチュエータ３３を冷却して、収縮させ、それがリセットすることを可能にする（たとえば、プランジャを図１１及び１８に示される開口位置へ動かす）。サーマルアクチュエータ３３へそのような低温水流がなければ、サーマルアクチュエータ３３が再度動作し始めることが可能になる前に、サーマルアクチュエータ３３は、より緩慢な様式で、その周囲の伝導冷却に依存することとなるであろう。そして、そのときでさえ、アクチュエータ３３へそのような低温水流なしでは、そのようなより緩慢な伝導冷却リセット後のサーマルアクチュエータ３３へ直ちに利用可能である高温水は、より迅速な様式で、サーマルアクチュエータ３３に高温水流を再度止め得る。
【００７７】
図１３に示されるように、ハンドル部材１３及び混合バルブ４２が全開高温位置に配置されるときに、また作動部材１９が作動したときに、供給ライン１５からの高温水は、高温水流入口１８に入り、プランジャ領域２９を通り移動し、その後内部ライン２７へ移動する。内部ライン２７から、また図１３に示されるように、高温水は、混合バルブ４２の高温水部分５０のカム部分７０に入り、その後混合バルブ４２の混合部分５２へ移動する。つぎに高温水は、混合バルブ４２の混合部分５２から混合された水ライン２１へ、その後感知領域２４上へ、その後流出口２６へ移動することができる。
【００７８】
図１３を参照すると、ハンドル部材１３及び混合バルブ４２が全開高温位置に配置されるときに、混合バルブ４２の高温水部分５０の凹端部７２は、内部ライン２７の下端部７１より下に、またはこれの直下に配置され、それにより高温水の実質的に全流量が内部ライン２７から混合バルブ４２の高温水部分５０のカム部分７０に入ることを可能にする。
【００７９】
したがって、またニュートラルの、全開低温及び全開高温位置におけるハンドル部材１３及び混合バルブ４２のさまざまな位置（及びこれらのような位置間のハンドル部材１３及び混合バルブ４２のさまざまな位置）に関する上記の考察を参照すると、例示的な混合バルブ４２は、高温水及び低温水の流入口１８、２０の両方の流れを、流出口２６を通る所望の流出口温度へ混合することを常に同時調節することを可能とするように有利に構成される。したがって、また組立体１０の混合バルブ４２を使用して、流出口２６を通る混合された水の流量を、さらに一定に保つことができる（たとえば、低温流量が流入口２０を通り増加すると、高温流量が流入口１８を通り減少し、また高温流量が流入口１８を通り増加すると、低温流量が流入口２０を通り減少する）。上述のように、これは、単純に低温水流量を調節して流出口温度を制御する従来のシステム／方法と比較して改善である。これは、また、２つの個々の従来の流量制御バルブ（たとえば、個々の高温バルブ、及び個々の低温バルブ）を使用して調節しなければならないことと比較して改善である。なぜなら、例示的な組立体１０は１つの混合バルブ４２を有利に使用して、流入口１８、２０を通る高温水流量及び低温水流量の両方の流れを制御し得るからである。
【００８０】
本開示は、家庭用、商業用、産業用及び／または娯楽用の用途／目的のために有利な流体供給組立体（たとえば、水給水栓組立体）と主に関連して説明されているが、そのような説明は、開示目的のために使用されているに過ぎず、本開示を制限するように意図されるものではない。反対に、開示された組立体、システム及び方法は、他の用途／目的のための使用（たとえば、他の流体システムのための他の流体供給組立体として）が可能であることを認識するであろう。
【００８１】
本開示の組立体、システム及び方法が、その例示的な実施形態を参照して説明されたが、本開示は、これらのような例示的な実施形態及び／または実施態様に限定されない。むしろ、本開示のシステム、組立体及び方法は、本明細書の本開示から当業者に容易に明らかになるように、多くの実施態様及び用途が可能である。本開示は、開示された実施形態のそのような変更、拡張及び／または変形を明らかに包含する。多くの変更が上記の構成において行われることが可能であり、本開示の多くの幅広い異なる実施形態がその範囲から逸脱することなく行われることができるため、図面及び本明細書に含まれるすべての主題は例示説明として解釈されるものとし、制限する意味に解釈されないものとする。さらなる修正、変更、及び置換が、前述の本開示において意図される。
【図１】
2019522759.tif 000003
【図２】
2019522759.tif 000004
【図３】
2019522759.tif 000005
【図４】
2019522759.tif 000006
【図５】
2019522759.tif 000007
【図６】
2019522759.tif 000008
【図７】
2019522759.tif 000009
【図８】
2019522759.tif 000010
【図９】
2019522759.tif 000011
【図１０】
2019522759.tif 000012
【図１１】
2019522759.tif 000013
【図１２】
2019522759.tif 000014
【図１３】
2019522759.tif 000015
【図１４】
2019522759.tif 000016
【図１５】
2019522759.tif 000017
【図１６】
2019522759.tif 000018
【図１７Ａ】
2019522759.tif 000019
【図１７Ｂ】
2019522759.tif 000020
【図１８】
2019522759.tif 000021
【国際調査報告】
2019522759.tif 000022
2019522759.tif 000023
2019522759.tif 000024
2019522759.tif 000025